(57)【要約】      （修正有）【課題】ドアクローザーのアームリンクの大きさに応じて輪の径を自在に調整することであらゆる大きさのドアクローザーに対応することができるドア開放防止具を提供する。【解決手段】ドアクローザーのアームリンクＡに外挿し、締結固定するドア開放防止具１において、少なくとも前記アームリンクＡを周回する長さを有するベルト部２と、前記ベルト部２の開放端に取り付けられ該ベルト部２の長さを自在に調整できるベルト調整部３を備える。【選択図】図４
2008303638.tif 000002
【特許請求の範囲】
【請求項１】
ドアクローザーのアームリンクに巻きつけられ、同アームリンクを固定するドア開放防止具であって、
少なくとも前記アームリンクを周回する長さを有するベルト部と、
該ベルト部の端部に取り付けられると共に、前記ベルト部の長さを調整可能に構成されたベルト調整部とを備える
ことを特徴とするドア開放防止具。
【請求項２】
前記ベルトの一端と同ベルトの他端とが取り付け可能に構成され、前記ベルトの一端と同ベルトの他端とが取り付けられることにより前記ベルトが環状体を構成する
ことを特徴とする請求項１に記載のドア開放防止具。
【請求項３】
前記ベルト部の外面に蛍光塗料が塗布された
ことを特徴とする請求項１に記載のドア開放防止具。
【請求項４】
前記ベルト部の内面に滑り防止手段が設けられた
ことを特徴とする請求項１に記載のドア開放防止具。
【発明の詳細な説明】
【技術分野】
【０００１】
本発明はドア開放防止具に関する。詳しくは、ドアクローザーのアームリンクをロックすることにより、不意の侵入者によるドアの開放を防止することができるドア開放防止具に係るものである。
【背景技術】
【０００２】
近年は、防犯上、在宅中であれ、外出中であれ、出入り口ドアに施錠するのが一般的になっており、施錠方式としては、例えば、ドアのノブに設けられたシリンダー鍵による方式や、屋内側からチェーンによって施錠するチェーン方式などが一般的である。
【０００３】
しかし、上述したシリンダー鍵による施錠方式では不審者（例えば窃盗犯）が予め用意した合鍵またはピッキングなどによりドアの施錠を解除してしまうことが考えられ、チェーン方式による施錠方式ではドアの隙間からカッターなどを差し込んでチェーンを切断してドアの施錠を解除してしまうことが考えられる。
【０００４】
そこで、内側からドアを開閉できなくする手段の一例として、図５に示すようなドア開放防止具が提案されており（例えば、特許文献１参照。）、特許文献１に記載のドア開放防止具１０１は楕円筒又は円筒形状に構成され、この様に構成されたドア開放防止具をドアクローザー１０２のアームリンク１０３に装着してアームリンク１０３を開かないように巻着することでドアを開閉できなくするものである。
【０００５】
また、内側からドアを開閉できなくする手段の他の一例として、図６に示すようなドア開放防止具も提案されており（例えば、特許文献２参照。）、特許文献２に記載のドア開放防止具は、鋼製の輪１０４とフック１０５をチェーン１０６で接続して構成されており、この様に構成されたドア開放防止具の輪１０４をドアクローザー１０２のアームリンク１０３に装着し、フック１０５をドアクローザー１０２に掛けることでドアを開閉できなくするものである。なお、フック１０５をドアクローザー１０２に掛けることで輪１０４の落下を防止することができる。
【０００６】
【特許文献１】特開２００５−９１２８号公報（明細書、第１図）
【０００７】
【特許文献２】特開２００２−３８８０５号公報（明細書、第２図）
【発明の開示】
【発明が解決しようとする課題】
【０００８】
ところで、ドアクローザーはドアの大きさや設置する場所に応じて各種の大きさのものがあり、ドアクローザーの大きさに応じてアームリンクの外径も様々である。
これに対して、上記した特許文献１や特許文献２に記載されたドア開放防止具は、一定の径を有する硬質材料（鋼やプラスチック材料）から成る環状体でアームリンクを固定すべく構成されているために、様々なアームリンクの外径に対応するためには、それぞれのアームリンクの外径に対応した径の環状体を有するドア開放防止具の品揃えを行なう必要がある。
【０００９】
また、アームリンクの外径に応じてドア開放防止具の選択を行わなければならないために、一のアームリンクに対応するドア開放防止具であったとしても一のアームリンクとは外径の異なる他のアームリンクには対応しないといった具合に、ドア開放防止具の汎用性も乏しいものとなる。
【００１０】
なお、アームリンクの外径に対して、小さい内径のドア開放防止具を使用した場合には、ドア開放防止具をアームリンクの先の部分（即ち、アームリンクの外径の小さな部分）にしか嵌められず、ドアを無理やり開こうとした際にドア開放防止具がアームリンクから外れる恐れがある。一方、アームリンクの外径に対して、大きい内径のドア開放防止具を使用した場合には、ドア開放防止具とアームリンクとの間に隙間が生じてしまうために施錠効果が不充分となってしまう。即ち、アームリンクとドア開放防止具が対応していない場合には防犯性に欠ける結果を招く恐れがある。
【００１１】
また、アームリンクを固着する部材が鋼製やプラスチックなどの硬質である場合には、ドアを開けようとした際にアームリンクを傷つける恐れがある。
【００１２】
本発明は、以上の点に鑑みて創案されたものであって、アームリンクの大きさに応じてアームリンクを周回する様に設置される環状体の径を自在に調整可能とすることでドアの開放を制限することができるドア開放防止具を提供することを目的とするものである。
【課題を解決するための手段】
【００１３】
上記の目的を達成するために、本発明に係るドア開放防止具は、ドアクローザーのアームリンクに巻きつけられ、同アームリンクを固定するドア開放防止具であって、少なくとも前記アームリンクを周回する長さを有するベルト部と、該ベルト部の端部に取り付けられると共に、前記ベルト部の長さを調整可能に構成されたベルト調整部とを備える。
【００１４】
ここで、ベルト調整部によってドアクローザーのアームリンクの大きさに応じてベルトの長さを調整することができるために、換言すると、アームリンクをしっかりと締結固定することができるために、ドアクローザーが可動せず、これによりドアの開閉隙間が無くなりカッターなどを差し込むことができなくなる。
【００１５】
また、ベルト部を蛍光塗料により表面加工することにより、夜間や暗がりでの戸締り確認が容易に行うことが可能となる。
【００１６】
また、ベルト部の内面にゴム等により滑り防止手段を設けることによって、アームリンクからのズレや脱落を防止することが可能となる。
【発明の効果】
【００１７】
本発明のドア開放防止具では、ベルト長さを自在に調整することによって、ドアクローザーのアームリンクを充分に締結固定することができてドアの開閉隙間がなくなり、充分な防犯性を確保することができる。具体的には、ドアの開閉隙間がなくなることによって、カッターなどを隙間に差し込んでチェーンを切断するなどの犯罪を抑制することができる。
【００１８】
また、ベルト長さを自在に調整できる機構とすることにより、ドアクローザーのアームリンクへの着脱を容易に行うことが可能となる。更に、ベルトを柔軟かつ強耐性に優れた素材により形成することによって、ドア開放防止具の装着を忘れてドアの開け閉めを行った際にも、ドアクローザーやドア開放防止具の損傷が少ない。
【００１９】
また、あらかじめドア開放防止具のベルト部によって構成される環状体の内径を、装着するアームリンクの外径に合わせることによって、アームリンクへのドア開放防止具の着脱がワンタッチ式で容易に行うことが可能となる。
【００２０】
更に、ベルト表面を蛍光塗料によって表面加工することにより、夜間や暗がりでの戸締り確認が容易に行える。また、ベルトの内側面に滑り止め加工を施すことによりアームリンクからの脱落やずれを防ぐことができる。
【発明を実施するための最良の形態】
【００２１】
以下、本発明の実施の形態を図面を参酌しながら説明し、本発明の理解に供する。
図１（イ）（ロ）は、本発明を適用したドア開放防止具の一例を示す説明図であり、ここで示すドア開放防止具１は、ナイロン製などの合成繊維布地より形成される帯状のベルト部２と、該ベルト部２を輪状に連結し、かつベルト長さを自在に調整できるベルト調整部３とから構成されるものである。
【００２２】
ここで、ベルト部２は、例えばその幅が２．５ｃｍおよび全長が３０ｃｍとされ、ナイロン布地により形成されることによりフレキシブル、かつ引っ張り強度の優れた構成とされている。
【００２３】
そして、前記ベルト部２の両端にはベルト調整部３が連結自在な状態で取り付けられており、このベルト調整部３は、強化プラスチックなどの合成樹脂素材より形成され、前記ベルト部２の一端に固着される雌接続部４と前記ベルト部２の他端側に該ベルト部２の長手方向に沿って移動自在に係留される雄接続部５とから構成されている。
【００２４】
前記雌接続部４は、その基端にベルト挿通部６が形成され、このベルト挿通部６内にベルト部２の一端を挿通して折返し、ベルト部２と重ね合わせた状態で縫製して固着されている。また、前記雌接続部４の先端側には係留用溝部７が形成されている。
【００２５】
一方、前記雄接続部５は、その基端にベルト移動溝部８が形成されている。このベルト移動溝部８は、ベルト幅を有する開口部９内に前後動する係留棒部１０が設けられ、該係留棒部１０と開口部９内とに形成される前後側の隙間にベルト部２の他端を挿通し、該係留棒部１０に接触する状態で再び隙間に挿通することにより、ベルト部２の長手方向に沿って雄接続部５を自在に移動させることができ、かつベルト部２を引いたときにベルト部２と係留棒部１０との摩擦によって係止することができる。また、前記雄接続部５の先端側には前記雌接続部４の係留用溝部７内に嵌入して互いに係合する接続突起部１１が形成されている。この接続突起部１１は前記係留用溝部７内に嵌入した場合に、該接続突起部１１と係留用溝部７が互いに係合し、係合を解除する場合には前記接続突起部１１の両側端を内側方向へ押圧することにより係留用溝部７から取り外すことができる。
【００２６】
このようにして前記雄接続部５をベルト部２の長手方向に沿って移動させることによりベルト部２によって形成される環状体（輪）の径の調整を自在に行うことができる。
【００２７】
次に、図２（イ）（ロ）は、本発明を適用したドア開放防止具の他の例を示す説明図であり、ここで示すドア開放防止具１は、ナイロン製などの合成繊維布地より形成される帯状のベルト部２と、該ベルト部２を輪状に連結し、かつベルト長さを自在に調整できるベルト調整部３Ａとから構成されるものである。
【００２８】
ここで、前記ベルト部２は、例えばその幅が２．５ｃｍおよび全長が３０ｃｍとされ、ナイロン布地により形成されることによりフレキシブル、かつ引っ張り強度の優れた構成とされている。
【００２９】
そして、前記ベルト部２の一端にはベルト調整部３Ａが固着されており、このベルト調整部３Ａは、金属製であり、その基端にベルト巻回棒部１２が形成され、このベルト巻回棒部１２にベルト部２の一端を巻回して折返し、ベルト部２と重ね合わせた状態で縫製して固着されている。
【００３０】
次に、前記ベルト調整部３Ａの先端側にはベルト部係着棒部１３が渡設されている。そして該ベルト部係着棒部１３の前記ベルト巻回棒部１２側にはバネ体１４の付勢力によって前記ベルト部係着棒部１３を圧接するベルト圧接片部１５が設けられている。このベルト圧接片部１５の表面には無数の突起１７が形成されると共に、その中途が枢支されテコの原理によって前記ベルト部係着棒部１３に対して圧接させたり、離間させたりできる機構とするものである。
【００３１】
したがって、バネ体１４の付勢力に抗しながらベルト圧接片部１５を押し開いてベルト部係着棒部１３を離間させてベルト部２の他端を挿通し、アームリンクの大きさに応じて輪の径を調整した後に前記ベルト圧接片部１５を離すことにより、前記バネ体１４の付勢力によってベルト圧接片部１５の表面の無数の突起１７がベルト部２の布地を押圧することになり、前記無数の突起１７がベルト部２表面に喰い込みながらベルト部係着棒部１３との間によって挟持されことでベルト部２が緩むことなく強固に係着することができる。
【００３２】
また、前記それぞれのベルト部２の布地に蛍光塗料（図示せず。）により表面加工をすることにより、夜間や暗がりでの取り付けや、取り外しが容易に行うことができると共に、施錠の有無の確認を容易に行うことができる。
【００３３】
また、図３に示すように、ベルト部２の内面に沿ってゴムなどの滑り防止部材１６を取り付けることにより、ベルト部２によってアームリンクを締結固定した場合に、前記ベルト部２内面の滑り防止部材１６がアームリンクに圧接することによって、アームリンクを無理やり拡げようとした際に前記ベルト部２が横にずれるのを防止し、かつずれによる緩みによってドア開放防止具がアームリンクから脱落するのを防止することができる。
【００３４】
なお、ベルト部のベルト調整部は必ずしも本実施例で詳述した機構とする必要はなく、ベルト部を挿通して形成される輪の径をアームリンクの大きさに応じて調整することができ、かつドアを無理やり開こうとする際のアームリンクの拡径に対して外れることなく輪の径を維持することができるベルト調整部であればいかなる機構であっても構わない。
【００３５】
また、ベルト部の素材は必ずしも本実施例で詳述したナイロン製などの合成繊維布地より形成する帯状とする必要はなく、例えば紐状であっても良く、綿繊維や革製品などドアを無理やり開こうとする際のアームリンクの拡径に対して切断することなく強耐性に優れた素材であればいかなるものであっても構わない。
【００３６】
更に、ベルト部を麻や綿などの天然素材によって形成することにより、廃棄後に焼却する際に有毒ガスの発生がなく、地球環境を破壊することがなく環境保全を目的とした安全な製品を提供することが可能となる。
【００３７】
以上の構成よりなる本発明のドア開放防止具では図４（イ）（ロ）に示すように、アームリンクＡに取り付ける場合においては、ドア開放防止具１のベルト部２による輪の大きさを、ドアを閉めた状態でのアームリンクＡの外径よりも大きく調整する。
【００３８】
そして前記ドア開放防止具１のベルト部２を前記アームリンクＡに外挿した後に、前記ドア開放防止具１のベルト調整部３、あるいはベルト調整部３Ａに挿通したベルト部２の係着を解除し、ベルト部２の他端を引っ張ることによりアームリンクＡがベルト部２によって締め付け固定される。
【００３９】
これにより、例えば不審者が玄関ドアの施錠を解除してドアを開けようとした場合には、ドア開放防止具１のベルト部２によってアームリンクＡが締め付け固定されているために全く開くことができないことになる。
【００４０】
また、図４（イ）の場合においてアームリンクＡからドア開放防止具１を取外す際には、前記図１で詳述したように、ベルト調整部３の雄接続部５の接続突起部１１を手で互いに内側方向へ押すことによって雌接続部４の係留用溝部７との係留が解除され、容易にアームリンクＡから取り外すことが可能となる。したがって、ドア開放防止具１のベルト部２による輪の大きさをアームリンクＡの外径に合わせた後は、アームリンクＡへのドア開放防止具１の着脱がワンタッチ式で行えることとなる。
【００４１】
また、図４（ロ）の場合においてアームリンクＡからドア開放防止具１を取外す際には、前記図２で詳述したように、バネ体１４の付勢力に抗しながらベルト圧接片部１５を押し開いてベルト部係着棒部１３を離間させることによってベルト部２による締結を緩めてアームリンクＡから容易に抜き取ることが可能となる。
【００４２】
更に、ベルト部２の布地に蛍光塗料を表面加工することにより、夜間や暗がりにおいてドア開放防止具１がアームリンクＡに取り付けられているかを容易に視認することが可能となる。
【図面の簡単な説明】
【００４３】
【図１】本発明を適用したドア開放防止具の一例を示す説明図である。
【図２】本発明を適用したドア開放防止具の他の例を示す説明図である。
【図３】本発明を適用したドア開放防止具における滑り防止機構の一例を示す説明図である。
【図４】本発明を適用したドア開放防止具の使用状態を示す説明図である。
【図５】従来のドア開放防止具の一例を示す説明図である。
【図６】従来のドア開放防止具の他の例を示す説明図である。
【符号の説明】
【００４４】
１      ドア開放防止具
２      ベルト部
３、３Ａ  ベルト調整部
４      雌接続部
５      雄接続部
６      ベルト挿通部
７      係留用溝部
８      ベルト移動溝部
９      開口部
１０    係留棒部
１１    接続突起部
１２    ベルト巻回棒部
１３    ベルト部係着棒部
１４    バネ体
１５    ベルト圧接片部
１６    滑り防止部材
１７    突起
【図１】
2008303638.tif 000003
【図２】
2008303638.tif 000004
【図３】
2008303638.tif 000005
【図４】
2008303638.tif 000006
【図５】
2008303638.tif 000007
【図６】
2008303638.tif 000008